(57)【要約】【課題】　一種以上の茶殻抽出液及び／又はコーヒー液製造時の茶殻残留廃液を吸水性の薄葉紙に含浸させて乾燥して、一様に衛生的に優れ、しかも、一種以上のコーヒー液、茶殻抽出液、茶殻残留廃液及び茶殻を活用した、不織布及び該衛生用品の製造方法を提供する。【解決手段】　不織布１平方メートルあたり０．１グラム以上のコーヒー液の乾燥物が含有されていることを特徴とする不織布にあり、また、コーヒー液の濃縮液を不織布に塗布し、このコーヒー液の濃縮液が塗布された不織布を乾燥することを特徴とする不織布の製造方法にある。この不織布は、一様に衛生的に優れ、紙タオル、肌着用布地、寝具用シーツ、マスク、アイマスク、座席用ヘッドカバー、枕カバー、包装材、鮮魚輸送用包装材及び野菜輸送用包装材等の吸収材料として使用することができ、また、この不織布は、特に、衛生的に優れる性質を利用して、紙おむつ、動物用紙おむつ、生理用ナプキン、動物用生理用ナプキン、乳パッド、汗パッド及び動物用シーツ等の衛生用品の表面材として使用できる。【選択図】　　図１
2004137662.tif 000002
【特許請求の範囲】
【請求項１】
コーヒー液の乾燥物を含有する不織布において、不織布に含有されるコーヒー液の乾燥物の量は、坪量が１８ｇ／ｍ２の不織布を基準として、1平方メートルあたり０．１グラム以上であることを特徴とするコーヒー液の乾燥物を含有する不織布。
【請求項２】
コーヒー液の乾燥物を含有する不織布において、不織布に含有されるコーヒー液の乾燥物及びお茶の乾燥物の合計量は、坪量が１８ｇ／ｍ２の不織布を基準として、1平方メートルあたり０．１グラム以上であることを特徴とするコーヒー液の乾燥物を含有する不織布。
【請求項３】
不織布が、界面活性剤を含有していることを特徴とする請求項１又は２に記載のコーヒー液の乾燥物を含有する不織布。
【請求項４】
不織布が高吸水性樹脂を含有していることを特徴とする請求項１乃至３の何れか一項に記載のコーヒー液の乾燥物を含有する不織布。
【請求項５】
不織布が、一種以上の有機繊維、一種以上の有機繊維廃材、一種以上の有機質の廃棄物若しくは繊維質の廃棄物、又は前記一種以上の有機繊維、一種以上の有機繊維廃材、一種以上の有機質の廃棄物及び繊維質の廃棄物の中の二種以上のものを包含して形成されていることを特徴とする請求項１乃至４の何れか一項に記載のコーヒー液の乾燥物を含有する不織布。
【請求項６】
有機繊維が、綿、羊毛、パルプ、ポリプロピレン繊維、ポリエチレン繊維、ナイロン繊維、ビニロン繊維、ポリエステル繊維、ビスコースレーヨン繊維若しくはキュプラレーヨン繊維、又はこれらの中の二種以上のものを包含することを特徴とする請求項５に記載のコーヒー液の乾燥物を含有する不織布。
【請求項７】
有機繊維廃材が、綿廃材、羊毛廃材、パルプ廃材、ポリプロピレン繊維廃材、ポリエチレン繊維廃材、ナイロン繊維廃材、ビニロン繊維廃材、ポリエステル繊維廃材、ビスコースレーヨン繊維廃材若しくはキュプラレーヨン繊維廃材、又はこれらの中の二種以上のものを包含することを特徴とする請求項５に記載のコーヒー液の乾燥物を含有する不織布。
【請求項８】
有機質の廃棄物が、トイレットペーパー廃材、ティッシュペーパー廃材、寝具用シーツ廃材、マスク廃材、アイマスク廃材、座席用ヘッドカバー廃材、枕カバー廃材若しくは便座シート廃材、又はこれらの中の二種以上のものを包含することを特徴とする請求項５に記載のコーヒー液の乾燥物を含有する不織布。
【請求項９】
有機質の廃棄物が、トイレットペーパー廃材、ティッシュペーパー廃材、寝具用シーツ廃材、マスク廃材、アイマスク廃材、座席用ヘッドカバー廃材、枕カバー廃材、おむつ廃材、紙おむつ廃材、便座シート廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用吸水体廃材若しくは野菜輸送用吸水体廃材、又はこれらの中の二種以上のものを包含することを特徴とする請求項５に記載のコーヒー液の乾燥物を含有する不織布。
【請求項１０】
繊維質の廃棄物が、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材、紙粉、チタン紙廃材、パンチ屑、衛生用品廃棄物の分級産物のフラッフパルプ、製本時に発生する紙粉、不織布製造時に発生する紙粉若しくは製紙工程において発生する紙粉、又はこれらの中の二種以上のものを包含することを特徴とする請求項５に記載のコーヒー液の乾燥物を含有する不織布。
【請求項１１】
繊維質の廃棄物が、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれらの中の二種以上のものを包含することを特徴とする請求項６に記載のコーヒー液の乾燥物を含有する不織布。
【請求項１２】
コーヒー液の濃縮液を希釈して製造されＢｒｉｘ濃度が５％以上のコーヒー液の濃縮液を不織布に塗布し、このコーヒー液の濃縮液が塗布された不織布を乾燥して、不織布に含有されるコーヒー液の乾燥物が、１８ｇ／ｍ２の坪量を有する不織布を基準として、1平方メートルあたり０．１グラム以上の量である不織布を製造することを特徴とするコーヒー液の乾燥物を含有する不織布の製造方法。
【請求項１３】
コーヒー液の濃縮液を希釈して製造されＢｒｉｘ濃度が５％以上のコーヒー液の濃縮液及びお茶の濃縮液を不織布に塗布し、このコーヒー液の濃縮液及びお茶の濃縮液が塗布された不織布を乾燥して、不織布に含有されるコーヒー液の乾燥物及びお茶の乾燥物の合計量が、１８ｇ／ｍ２の坪量を有する不織布を基準として、1平方メートルあたり、０．１グラム以上の量である不織布を製造することを特徴とするコーヒー液の乾燥物を含有する不織布の製造方法。
【請求項１４】
不織布が界面活性剤を含有していることを特徴とする請求項１２又は１３に記載のコーヒー液の乾燥物を含有する不織布の製造方法。
【請求項１５】
不織布が高吸水性樹脂を含有していることを特徴とする請求項１２又は１３に記載のコーヒー液の乾燥物を含有する不織布の製造方法。
【請求項１６】
不織布が、一種以上の有機繊維、一種以上の有機繊維廃材、一種以上の有機質の廃棄物若しくは繊維質の廃棄物、又は前記一種以上の有機繊維、一種以上の有機繊維廃材、一種以上の有機質の廃棄物及び一種以上の繊維質の廃棄物の中の二種以上のものを包含して形成されていることを特徴とする請求項１２又は１３の何れか一項に記載のコーヒー液の乾燥物を含有する不織布の製造方法。
【請求項１７】
有機繊維が、綿、羊毛、パルプ、ポリプロピレン繊維、ポリエチレン繊維、ナイロン繊維、ビニロン繊維、ポリエステル繊維、ビスコースレーヨン繊維若しくはキュプラレーヨン繊維、又はこれらの中の二種以上のものを包含することを特徴とする請求項１６に記載のコーヒー液の乾燥物を含有する不織布の製造方法。
【請求項１８】
有機繊維廃材が、綿廃材、羊毛廃材、パルプ廃材、ポリプロピレン繊維廃材、ポリエチレン繊維廃材、ナイロン繊維廃材、ビニロン繊維廃材、ポリエステル繊維廃材、ビスコースレーヨン繊維廃材若しくはキュプラレーヨン繊維廃材、又はこれらの中の二種以上のものを包含することを特徴とする請求項１６に記載のコーヒー液の乾燥物を含有する不織布の製造方法。
【請求項１９】
有機質の廃棄物が、トイレットペーパー廃材、ティッシュペーパー廃材、寝具用シーツ廃材、マスク廃材、アイマスク廃材、座席用ヘッドカバー廃材、枕カバー廃材若しくは便座シート廃材、又はこれらの中の二種以上のものを包含することを特徴とする請求項１６に記載の不織布の製造方法。
【請求項２０】
有機質の廃棄物が、トイレットペーパー廃材、ティッシュペーパー廃材、寝具用シーツ廃材、マスク廃材、アイマスク廃材、座席用ヘッドカバー廃材、枕カバー廃材、おむつ廃材、紙おむつ廃材、便座シート廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用吸水体廃材若しくは野菜輸送用吸水体廃材、又はこれらの中の二種以上のものを包含することを特徴とする請求項１６に記載のコーヒー液の乾燥物を含有する不織布の製造方法。
【請求項２１】
繊維質の廃棄物が、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材、紙粉、チタン紙廃材、パンチ屑、衛生用品廃棄物の分級産物のフラッフパルプ、製本時に発生する紙粉、不織布製造時に発生する紙粉若しくは製紙工程において発生する紙粉、又はこれらの中の二種以上のものを包含することを特徴とする請求項１６に記載のコーヒー液の乾燥物を含有する不織布の製造方法。
【請求項２２】
繊維質の廃棄物が、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉又は衛生材料製造時に発生する紙粉、又はこれらの中の二種以上のものを包含することを特徴とする請求項１６に記載のコーヒー液の乾燥物を含有する不織布の製造方法。
【発明の詳細な説明】
【技術分野】
【０００１】
　本発明は、コーヒー液の乾燥物又はコーヒー液の乾燥物及びお茶の乾燥物を含有する不織布及び該不織布の乾式及び湿式の製造方法に関し、特に、一種以上の有機繊維、一種以上の有機繊維廃材、一種以上の有機質の廃棄物若しくは一種以上の繊維質の廃棄物、又は一種以上の有機繊維、一種以上の有機繊維廃材、一種以上の有機質の廃棄物及び一種以上の繊維質の廃棄物の中の二種以上のものを含有し、さらにコーヒー液の乾燥物又はコーヒー液の乾燥物及びお茶の乾燥物を含有する不織布及び該不織布の乾式及び湿式の製造方法に関する。また本発明は、コーヒー液の乾燥物又はコーヒー液の乾燥物及びお茶の乾燥物を含有する不織布及び該不織布の乾式及び湿式の製造方法において、特に、有機繊維を不織布の素材とするときは、有機繊維は、綿、羊毛、パルプ、ポリプロピレン繊維、ポリエチレン繊維、ナイロン繊維、ビニロン繊維、ポリエステル繊維、ビスコースレーヨン繊維若しくはキュプラレーヨン繊維、又はこれらのものの中の二以上のものであり、また特に、有機繊維廃材を不織布の素材とするときは、有機繊維廃材は、綿廃材、羊毛廃材、パルプ廃材、ポリプロピレン繊維廃材、ポリエチレン繊維廃材、ナイロン繊維廃材、ビニロン繊維廃材、ポリエステル繊維廃材、ビスコースレーヨン繊維廃材若しくはキュプラレーヨン繊維廃材、又はこれらのものの中の二以上のものであり、また特に、有機質の廃棄物を不織布の素材とするときは、有機質の廃棄物は、トイレットペーパー廃材、ティッシュペーパー廃材、寝具用シーツ廃材、マスク廃材、アイマスク廃材、座席用ヘッドカバー廃材、枕カバー廃材、おむつ廃材、紙おむつ廃材、便座シート廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用吸収体廃材若しくは野菜輸送用吸収体廃材、又はこれら廃材の二以上のものであり、また特に、繊維質の廃棄物を不織布の素材とするときは、繊維質の廃棄物は、例えば、機械パルプ廃材、化学パルプ廃材、セミケミカルパルプ廃材、綿状パルプ廃材、木材パルプ廃材、古紙パルプ廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上のものであり、これら掲げられたものの一種以上を素材とし、コーヒー液の乾燥物又はコーヒー液の乾燥物及びお茶の乾燥物を含有する不織布及び該不織布の乾式及び湿式の製造方法に関する。
【背景技術】
【０００２】
　一般に、不織布は、衛生材料として、寝具用シーツ、紙おむつ、生理用ナプキン、乳パッド、汗パッド、失禁パッド、おむつ及びペット用シーツなどに使用され、また、医療資材として、手術用マスク、ガウン、キャップ、ガーゼ、包帯、眼帯、滅菌包材などに使用されている。衛生用品及び医療資材は、柔軟性、吸水性及び強度を有し、清潔であることが必要とされており、衛生用品の吸収体に使用される不織布の場合にも、例えば、寝具用シーツの場合には、ベッドや敷布団の上に敷いて、ベッドや布団の耐久性を保ち、ベッドや布団を清潔に維持するために用いられるから、この場合にも、不織布には、柔軟性、吸水性及び強度を有し、清潔であることが要求される。
【０００３】
　例えば、就寝中にも、人間の皮膚からは、汗以外に水分が絶えず外に排泄されており、これらの水分は、寝床や寝衣に吸い取られるので、例えば、寝具用シーツに使用される衛生用品には、さらに保温性及び適度の吸湿性を備えることが要求される。
　また、寝具用シーツや寝具は、吸湿性や吸水性の高い繊維で形成されるので、皮膚表面から脱落した角化した角質層や皮膚に付着した塵に皮膚の皮脂や汗などによる垢などが付着して、汚染され易く、病原菌が増殖する原因となり、特に、蓐瘡等の場合に問題である。
　そこで、従来の寝具用シーツや寝具については、常に清潔さを保つために、頻繁に取り替えて、繰り返し使用できるように、洗濯に強い木綿等が素材として使用されている。
【特許文献１】特開平１０−３３７２３８号公報
【特許文献２】特開２０００−６０９０８号公報
【特許文献３】特開２０００-１９２３９６号公報
【発明の開示】
【発明が解決しようとする課題】
【０００４】
　そこで、使い捨てタイプの寝具用シーツや寝具に使用される吸収体については、使用時においても、長時間に亙って清潔さを保つことができるように、本出願人は、飲料に供されるコーヒー液の抽出残渣である茶殻の抽出液が、殺菌性を有する点に着目して、焙煎コーヒー豆の抽出残渣の抽出液の乾燥物を含む衛生用品を有する吸収体を提案した(特開平１０−３３７２３８号公報、特開２０００−６０９０８号公報及び特開２０００-１９２３９６号公報参照)。
　しかし、本発明者は、焙煎されたコーヒー豆のコーヒー抽出液の濃縮液の乾燥物、又は焙煎されたコーヒー豆のコーヒー液の抽出残渣についてさらに抽出した抽出液の濃縮液の乾燥物は、緑膿菌、黄色ブドウ球菌、連鎖球菌及びレジオネラ属の細菌に対しては、菌を接種後７２時間経っても、増殖抑制効果を有するが、大腸菌及びサルモネラ属の細菌に対する接種後７２時間後の、増殖抑制効果は、殆ど無いか叉は低いことが分かった。
　また、本発明者は、緑茶、烏龍茶又は紅茶等の茶葉から抽出したお茶、特に、緑茶の濃縮液の乾燥物又は茶殻、特に、緑茶の茶殻について抽出した茶殻抽出液の濃縮液の乾燥物は、大腸菌、緑膿菌、黄色ブドウ球菌、サルモネラ属、連鎖球菌及びレジオネラ属の細菌に対しては、接種後７２時間経っても、増殖抑制効果を有することが分かった。また、紅茶の茶殻について抽出した茶殻抽出液の濃縮液の乾燥物は、大腸菌、緑膿菌、黄色ブドウ球菌、連鎖球菌及びレジオネラ属の細菌に対しては、接種後７２時間経っても、増殖抑制効果を有することが分かった。
【０００５】
　一方、缶入りのコーヒー液及びパック入りの抽出液のコーヒー液の製造業から排出される、コーヒー液の抽出粕の焙煎コーヒー豆の抽出残渣及び焙煎コーヒー豆の抽出残渣に残留する残留抽出液、並びに缶入りのお茶の製造業から排出される茶殻及び該茶殻に残留して茶殻から滲出する茶殻残留廃液は膨大な量に上っている。そして、茶殻には、かなりの量のタンニン類を含む抽出残留液が含まれているために、堆肥等に利用するにも、タンニン類等の処理が難しく、問題とされている。また、焙煎コーヒー豆の抽出残渣の残留廃液にも、かなりの量のタンニン類が含まれているために、その侭廃棄できず、廃棄するには、活性汚泥法等により無害化処理をしなければならない。また、活性汚泥法により発生する沈殿物は、その量が膨大であるにも拘わらず、用途が乏しく、専ら焼却処理によっており、問題とされている。
　本発明は、不織布についての大腸菌、緑膿菌、黄色ブドウ球菌、サルモネラ属、連鎖球菌及びレジオネラ属の細菌に係る問題点を解決すると共に、缶入りのコーヒー液及びパック入りのコーヒー液の製造工程で発生する焙煎コーヒー豆の抽出残渣及び残留廃液のコーヒー液並びに茶殻及び茶殻残留廃液の処理を目的としている。
【課題を解決するための手段】
【０００６】
　本発明者は、緑茶若しくは緑茶の茶殻、烏龍茶若しくは烏龍茶の茶殻又は紅茶若しくは紅茶の茶殻、又は焙煎コーヒー豆若しくは焙煎コーヒー豆の抽出残渣についての抽出液の濃縮物を含浸させた不織布が、緑茶の乾燥物を含有させた不織布の場合、大腸菌、緑膿菌、黄色ブドウ球菌、サルモネラ属、連鎖球菌及びレジオネラ属の細菌の増殖を７２時間以上に亙って阻害し、紅茶の乾燥物を含有させた不織布の場合、大腸菌、緑膿菌、黄色ブドウ球菌、連鎖球菌及びレジオネラ属の細菌の増殖を７２時間以上に亙って阻害し、コーヒー液の乾燥物を含有させた不織布の場合、大腸菌、緑膿菌、黄色ブドウ球菌、連鎖球菌及びレジオネラ属の細菌の増殖を７２時間以上に亙って阻害することを発見して本発明に至った。
　本発明は、これら焙煎コーヒー豆の抽出残渣や茶殻の抽出液を濃縮して、抽出液中の溶解物質の量を増加させることにより、黄色ブドウ球菌、サルモネラ属、連鎖球菌及びレジオネラ属の細菌に対する増殖抑制作用はもとより、大腸菌及び緑膿菌に対する増殖抑制作用を増強した衛生用品を提供することにより、これら茶殻の有効利用を図ることを目的としている。
【０００７】
　即ち、本発明は、コーヒー液の乾燥物を含有する不織布において、不織布に含有されるコーヒー液の乾燥物の量は、坪量が１８ｇ／ｍ２の不織布を基準として、1平方メートルあたり０．１グラム以上であることを特徴とするコーヒー液の乾燥物を含有する不織布にあり、また、本発明は、コーヒー液の乾燥物を含有する不織布において、不織布に含有されるコーヒー液の乾燥物及びお茶の乾燥物の合計量は、坪量が１８ｇ／ｍ２の不織布を基準として、1平方メートルあたり０．１グラム以上であることを特徴とするコーヒー液の乾燥物を含有する不織布にある。
【０００８】
　そしてまた、本発明は、コーヒー液の濃縮液を希釈して製造されＢｒｉｘ濃度が５％以上のコーヒー液の濃縮液を不織布に塗布し、このコーヒー液の濃縮液が塗布された不織布を乾燥して、不織布に含有されるコーヒー液の乾燥物が、１８ｇ／ｍ２の坪量を有する不織布を基準として、1平方メートルあたり０．１グラム以上の量である不織布を製造することを特徴とするコーヒー液の乾燥物を含有する不織布の製造方法にあり、さらに本発明は、コーヒー液の濃縮液を希釈して製造されＢｒｉｘ濃度が５％以上のコーヒー液の濃縮液及びお茶の濃縮液を不織布に塗布し、このコーヒー液の濃縮液及びお茶の濃縮液が塗布された不織布を乾燥して、不織布に含有されるコーヒー液の乾燥物及びお茶の乾燥物の合計量が、１８ｇ／ｍ２の坪量を有する不織布を基準として、1平方メートルあたり、０．１グラム以上の量である不織布を製造することを特徴とするコーヒー液の乾燥物を含有する不織布の製造方法にある。
【発明の効果】
【０００９】
　本発明において、コーヒー液の濃縮液、又はコーヒー液の濃縮液及びお茶の濃縮液を不織布に塗布し、このコーヒー液の濃縮液、又はコーヒー液の濃縮液及びお茶の濃縮液が塗布された不織布を乾燥することにより製造するので、コーヒー液の乾燥物、又はコーヒー液の乾燥物及びお茶の乾燥物を不織布に含有させるのにコーヒー液、又はコーヒー液の濃縮液及びお茶の濃縮液の使用量を少なくできる。本発明の不織布は、コーヒー液の乾燥物又はコーヒー液の乾燥物及びお茶の乾燥物が含有されているので、汗等の臭いが抑制され、発汗による湿り、及び細菌の増殖を抑えることができ、長時間に亙って、消炎作用を保ち、また衛生的な状態を保つことができる衛生用品を提供することができる。そして本発明は、缶入り及びパック入りのコーヒー液、又は、缶入り及びパック入りのウーロン茶、緑茶、紅茶等のお茶及びコーヒー液の製造時に発生する、例えば残留廃液を含む茶殻や残留廃液を含有する焙煎コーヒー豆の抽出残渣を、コーヒー液の乾燥物及びコーヒー抽出液の乾燥物を提供する原料とできて、有効に活用することができる。
【００１０】
　本発明においては、コーヒー液の乾燥物、又はコーヒー液の乾燥物及びコーヒー抽出液の乾燥物を不織布に含有させて、不織布の使用時における細菌の増殖を比較的少ない費用で抑制することができ、しかも、大量に排出される茶殻や茶殻から滲出する茶殻残留排液及び焙煎コーヒー豆の抽出残渣やこの抽出残渣から滲出する残留廃液を有効に利用することができる。
　したがって、本発明によると、茶殻や焙煎コーヒー豆の抽出残渣から、タンニン等が分離除去されるので、従来、残留廃液のタンニン等の成分により有効に使用することができなかった茶殻や焙煎コーヒー豆の抽出残渣等の抽出残渣を、有効に活用することができ、活性汚泥処理等による茶殻処理を必要としないで済むこととなり、缶入り又はパック入りコーヒー液等の飲料製造工場において、抽出残渣処理工程を省くことができる。
【発明を実施するための最良の形態】
【００１１】
　本発明において、コーヒー液の乾燥物、即ちコーヒー液の溶解物質を含有する不織布は、例えば、坪量が１８ｇ／ｍ２の不織布を基準にして、１平方メートルあたり、コーヒー液の乾燥物が０．１グラム以上、好ましくは、０．３グラム以上、さらに好ましくは０．５グラム以上含有するものである。また、コーヒー液の乾燥物及びお茶の乾燥物（即ちお茶の溶解物質）を含有する不織布は、坪量が１８ｇ／ｍ２の不織布を基準にして、１平方メートルあたり、コーヒー液の乾燥物及びお茶の乾燥物が、両者の合計量で０．１グラム以上、好ましくは、合計量で０．３グラム以上、さらに好ましくは合計量で０．５グラム以上含有するものである。
　一般に、不織布は、坪量が、例えば１７ｇ／ｍ２乃至３００ｇ／ｍ２と大きく変化するが、本発明においては、コーヒー液の乾燥物を含有させる不織布の坪量が、基準となる不織布の坪量の１８ｇ／ｍ２に対し大きいときは、該不織布に含有させるコーヒー液の乾燥物の量は、塗布される不織布の坪量の基準の不織布の坪量に対する、重量比に対応して、例えばその倍数で増量することができる。
【００１２】
　本発明において、コーヒー液の乾燥物又はコーヒー液の乾燥物及びお茶の乾燥物を含有する不織布は、湿式法により不織布を製造する場合においては、乾燥工程前の湿った不織布に、コーヒー液の濃縮液又はコーヒー液の濃縮液及びお茶の濃縮液を、含浸保持させて乾燥することにより製造することができる。しかし、乾燥工程を経た乾燥された不織布にコーヒー液の濃縮液又はコーヒー液の濃縮液及びお茶の濃縮液を、含浸保持させて乾燥することにより製造してもよい。乾式法によるときは、ウエブを接着した後に、コーヒー液の濃縮液又はコーヒー液の濃縮液及びお茶の濃縮液を、含浸保持させて乾燥することにより製造してもよい。
【００１３】
　本発明において、不織布には、一種以上のコーヒー液の乾燥物又は一種以上のコーヒー液の乾燥物及び一種以上のお茶の乾燥物が含有される。本発明において、コーヒー液の用語は、一種以上の焙煎コーヒー豆を抽出して得られた抽出液のコーヒー液（以下抽出液のコーヒー液という）、一種以上の焙煎コーヒー豆の抽出残渣を抽出して得られた焙煎コーヒー豆の抽出残渣からのコーヒー抽出液（以下、抽出残渣のコーヒー液という）若しくは一種以上の焙煎コーヒー豆の抽出残渣から分離された残留廃液のコーヒー液（以下、残留廃液のコーヒー液という）又は及び抽出液のコーヒー液、抽出残渣のコーヒー液及び残留廃液のコーヒー液の中から選ばれた二以上の混合物を意味する。
　コーヒー液の濃縮液は、一種以上の抽出液のコーヒー液の濃縮液、一種以上の抽出残渣のコーヒー液の濃縮液若しくは残留廃液のコーヒー液の濃縮液又はこれらコーヒー液の濃縮液の二以上の混合液を意味する。本発明において、コーヒー液は、焙煎コーヒー豆の産地及び種類により区別されない。
　本発明において、コーヒー液の濃縮液の用語は、コーヒー液の濃縮液を、水、コーヒー液若しくはお茶又はコーヒー液若しくはお茶以外の他のものを混合した溶液をも意味し、例えば、コーヒー液の濃縮液を常温以上の温度の水により希釈したもの、コーヒー液の濃縮液に、コーヒー液の濃縮液より溶解物質含有率の小さいコーヒー液、お茶若しくはお茶の濃縮液又はこれらの混合物を混合したものを包含する。
【００１４】
　本発明において、コーヒー液の濃縮液は、一種以上の焙煎コーヒー豆若しくは焙煎コーヒー豆の抽出残渣又は焙煎コーヒー豆及び焙煎コーヒー豆の抽出残渣を、温水若しくは熱水で抽出して得られた抽出液を、加熱及び／又は減圧により濃縮して製造することができる。特に、本発明において、コーヒー液の濃縮液は、一種以上の焙煎コーヒー豆若しくは焙煎コーヒー豆の抽出残渣又は焙煎コーヒー豆及び焙煎コーヒー豆の抽出残渣（以下、焙煎コーヒー豆及び／又は焙煎コーヒー豆の抽出残渣という）を温水又は熱水により抽出して、抽出液のコーヒー液、抽出残渣のコーヒー液若しくは残留廃液のコーヒー液又はこれらの中の二以上の混合物、即ちコーヒー液を、該コーヒー液の液量の少なくとも５／６以下、好ましくは３／４以下、さらに好ましくは１／２以下に濃縮して製造することができる。
【００１５】
　また、コーヒー液の濃縮液は、例えば、パック入り又は缶入りのコーヒー液又はその他のコーヒー液の製造時に排出される抽出粕としての焙煎コーヒー豆の抽出残渣を、温水又は熱水で抽出し、さらに加熱により、若しくは減圧により又は加熱及び減圧により濃縮して製造することができる。しかし、熱水で抽出すると、可溶性成分の溶解量が多くなるので好ましい。パック入り又は缶入りのコーヒー液の製造時に抽出粕として排出される焙煎コーヒー豆の抽出残渣は、通常、残留廃液のコーヒー液を含んで排出されるので、抽出残渣から抽出された抽出残渣のコーヒー液には、残留廃液のコーヒー液が抽出されて包含されており、濃縮工程において濃縮され、コーヒー液の濃縮液とされる。焙煎コーヒー豆の抽出残渣は、残留廃液のコーヒー液を含んでいてもよく、脱水又は乾燥処理されていても良い。抽出を終えた焙煎コーヒー豆の抽出残渣は、脱水後、溶解物質が減量しており、動物の排泄物処理材として利用することができ、また廃棄可能である。
【００１６】
　本発明において、お茶の乾燥物は、コーヒー液の乾燥物に混合して含有され、又はコーヒー液の乾燥物とは別々に同一の不織布に含有される。本発明において、お茶の用語は、一種以上の茶葉から抽出した茶葉抽出液、（以下、茶葉の抽出液という）一種以上の茶殻から抽出した茶殻の抽出液（以下、茶殻抽出液という）若しくは一種以上の茶殻の残留廃液（以下、茶殻残留廃液という）、又は茶葉抽出液、茶殻抽出液及び茶殻残留廃液の中の二以上の混合物を意味する。
　本発明において、お茶の濃縮液の用語は、一種以上の茶葉抽出液についての濃縮液、一種以上の茶殻抽出液についての濃縮液若しくは一種以上の茶殻残留廃液についての濃縮液、又は前記一種以上の茶葉抽出液の濃縮液、一種以上の茶殻抽出液の濃縮液及び一種以上の茶殻残留廃液の濃縮液の中の二以上の濃縮液の混合物を意味する。
　本発明において、茶葉は、緑茶、紅茶、烏龍茶（ウーロン茶）又はその他の茶の茶芽即ち茶葉を意味し、茶殻は、パック入り又は缶入り等の緑茶、紅茶及び烏龍茶等のお茶の製造時に排出される抽出残渣、即ち抽出粕を意味する。本発明において、茶葉及び茶殻は、産地及び種類により区別されず、全般的な茶葉及び茶殻を意味する。
【００１７】
　本発明において、お茶の濃縮液は、一種以上の茶葉若しくは茶殻又は茶葉及び茶殻、即ち一種以上の茶葉及び／又は茶殻を、温水又は熱水で抽出して得られた茶葉及び／又は茶殻の抽出液を、さらに加熱により又は減圧により又は加熱及び減圧により濃縮して製造することができる。特に、一種以上の茶葉若しくは茶殻又は茶葉及び茶殻（以下、茶葉及び/又は茶殻という）を温水又は熱水により抽出された茶葉抽出液、茶殻抽出液若しくは茶殻残留廃液又はこれらの二以上の混合物、即ちお茶を、該お茶の液量の少なくとも５／６以下、好ましくは３／４以下、さらに好ましくは１／２以下に濃縮して製造することができる。
　本発明において、茶殻の抽出液の濃縮液は、パック入り又は缶入りの烏龍茶(ウーロン茶)、緑茶及び紅茶製造時に抽出粕として排出される茶殻を、温水又は熱水で抽出し、さらに加熱により又は減圧により又は加熱及び減圧により濃縮して製造することができる。しかし、烏龍茶、緑茶及び紅茶の何れの場合でも、また茶葉又は茶殻の何れの場合でも、熱水で抽出すると、溶解物質の溶解量が多くなるので好ましい。
【００１８】
　パック入り又は缶入りの烏龍茶(ウーロン茶)、緑茶及び紅茶製造時に抽出粕として排出される茶殻は、一般に、茶殻残留廃液を含んで排出されるので、本発明において、茶殻から抽出された茶殻抽出液には、茶殻残留廃液が含まれており、濃縮工程において茶殻抽出液を含んだ侭濃縮されて、お茶の濃縮液とされる。このように、茶殻は、茶殻残留廃液を含んでいてもよく、脱水又は乾燥処理されていてもよい。茶殻についての抽出処理を終えた茶殻は、脱水後、動物の排泄物処理材として利用することができ、また廃棄可能である。
　本発明において、お茶の濃縮液の用語は、お茶の濃縮液を、水、お茶若しくはコーヒー液、又はお茶若しくはコーヒー液以外の他のものを混合した溶液をも意味し、例えば、お茶の濃縮液を常温以上の温度の水により希釈したもの、お茶の濃縮液に、該お茶の濃縮液より溶解物質含有率の小さいお茶、コーヒー液若しくはコーヒー液の濃縮液又はこれらの混合物を混合したものを包含する。
【００１９】
　本発明において、不織布は、不織布にコーヒー液の濃縮液又はコーヒー液の濃縮液及びお茶の濃縮液の混合物を含浸させて乾燥して製造され、コーヒー液の乾燥物又はコーヒー液の乾燥物及びお茶の乾燥物を含有する。
　本発明において、不織布に含有されるコーヒー液の乾燥物又はコーヒー液の乾燥物及びお茶の乾燥物の量を多くすると、つまり、コーヒー液の溶解物質又はコーヒー液の溶解物質及びお茶の溶解物質の量を多くすると、コーヒー液の溶解物質、又はコーヒー液の溶解物質及びお茶の溶解物質を、不織布全体にかつ十分に付着させることができ、不織布における大腸菌、緑膿菌、黄色ブドウ球菌、サルモネラ属、連鎖球菌及びレジオネラ属等の細菌の増殖を長時間に亙って抑制することができる。このように、本発明は、茶葉や焙煎コーヒー豆の溶解物質はもとより、茶殻及び焙煎コーヒー豆の抽出残渣などの廃材中の溶解物質を抽出して、茶殻及び焙煎コーヒー豆の抽出残渣中で有害とされるタンニン、サポニン、さらに亜鉛等の溶解物質を不織布に含有させ、該溶解物質の有する細菌の増殖を抑制する性質並びに脱臭及び消炎作用を行う性質を不織布に付与させるものである。
【００２０】
　このようにして、本発明は、不織布に含有させるコーヒー液の乾燥物又はコーヒー液の乾燥物及びお茶の乾燥物を得るために、焙煎コーヒー豆、茶葉、焙煎コーヒー豆の抽出残渣、茶殻又は焙煎コーヒー豆の抽出残渣若しくは茶殻の残留廃液等の廃棄物において有害とされるタンニン、サポニン、さらに亜鉛等の溶解物質を、該廃棄物から抽出分離するので、この抽出処理された焙煎コーヒー豆の抽出残渣等の廃棄物は、廃棄する場合に有害なタンニン、サポニン、さらに亜鉛等の溶解物質が減少し、廃棄が可能となる。
【００２１】
　本発明において、コーヒー抽出液の濃縮液は、焙煎されたコーヒー豆又は焙煎されたコーヒー豆の抽出残渣を、温水又は熱水で煮立てて得られた抽出液としてのコーヒー液を加熱により、減圧により又は加熱及び減圧により濃縮して製造することができる。焙煎コーヒー豆の抽出残渣のコーヒー抽出液の濃縮液は、パック入り又は缶入りのコーヒー又はその他のコーヒーの製造時に抽出粕として排出されるコーヒー豆の抽出残渣を、温水又は熱水で抽出し、さらに加熱により、減圧により又は加熱及び減圧により濃縮して製造することができる。
【００２２】
　本発明において、コーヒー液の乾燥物、又はコーヒー液の乾燥物及お茶の乾燥物を含有させた不織布は、乾式及び湿式の不織布製造工程において、製造することができる。乾式の不織布製造工程においては、繊維を絡合して形成されたウエブ上に、又は繊維が絡合されて接着剤が塗布されたウエブ上に、さらに必要に応じて湿潤処理されたウエブ上に、コーヒー液の濃縮液、又はコーヒー液の濃縮液及びお茶の濃縮液を、直接、噴霧等により塗布含浸させ、乾燥部において乾燥させて製造することができる。湿式の不織布製造工程においては、接着剤を含有して抄造されたウエブは、脱水部で脱水されて湿ったウエブとなり、乾燥部に移されて乾燥される。本発明において、湿ったウエブに、コーヒー液の濃縮液、又はコーヒー液の濃縮液及びコーヒー抽出液の濃縮液が、直接、噴霧等により、塗布又は含浸されて、乾燥筒に送られて乾燥され、コーヒー液の乾燥物、又はコーヒー液の乾燥物及お茶の乾燥物を含有させた不織布製造することができる。
　また、乾式により製造された不織布又は湿式により製造された不織布に、コーヒー液の濃縮液又はコーヒー液の濃縮液及びコーヒー抽出液の濃縮液を、噴霧等により塗布含浸させ、乾燥筒に送り乾燥することにより製造することもできる。
【００２３】
　湿式不織布製造工程においては、不織布へのコーヒー液の塗布量を均一にするために、湿った不織布又は乾いている不織布に直接コーヒー液の濃縮液が噴霧される。コーヒー液の濃縮液を湿った不織布に直接噴霧するために、出来上がった不織布には、ピンホールその他のトラブルが生じることがあるので、不織布が幾分脱水された箇所から乾燥機に至る間に、コーヒー液の濃縮液の噴霧を行うのが好ましい。このような噴霧箇所は、不織布が脱水されて、ピックアップロールにより、ドライパートに移された箇所から乾燥ロールに送られる間であり、噴霧されて不織布に付着したコーヒー液の濃縮液は、その後不織布内に浸透して、コーヒー液の溶解性固形物濃度は一様に均される。
【００２４】
　本発明において、不織布に付着させるコーヒー液の乾燥物は、コーヒー液の溶解物質であり、細菌の増殖の抑制効果、消炎効果及び脱臭効果を有するので、不織布に含浸させるコーヒー液又はコーヒー液の溶解物質の量は、コーヒー液の濃縮液における溶解物質の濃度及びコーヒー液の濃縮液の塗布量を、調整して、細菌の増殖に対する抑制効果を発揮させ、さらに消炎効果及び脱臭効果を発揮させるのが好ましい。不織布に噴霧等により塗布されるコーヒー液に係る茶葉は、同種又は異種の何れであってもよく、また、コーヒー抽出液に係る焙煎コーヒー豆は同種又は異種の何れであってもよい。
【００２５】
　本発明において、不織布に含浸されるコーヒー液は、噴霧器のノズルの詰まりを防止するために、茶殻等の抽出残渣の固形物は、濾過により分離される。本発明において、コーヒー液若しくはコーヒー液の濃縮液は、印刷インキ組成物と配合して印刷インキに形成することができ、又はこの印刷インキに適当な着色材を配合して、印刷用カラーインキに形成することができる。印刷用カラーインキの場合には、吸水性の紙部材面に全般に亙って所望の模様及び文字を印刷でき、例えば、装飾模様、並びに商業宣伝用の模様及び文字を吸水性の紙部材に印刷することができる。
【００２６】
　不織布に含浸させるコーヒー液の濃縮液、又はコーヒー液の濃縮液及びお茶の濃縮液の夫々の溶解物質濃度を、例えば、糖度計等により測定し、又は全固形分を測定して、その溶解物質濃度に応じて噴霧器による噴霧又は印刷機による印刷により含有させる量を調整して、不織布に塗布等により含有されるコーヒー液、又はコーヒー液及びお茶の溶解物質の量を調整することができる。不織布に含浸させるこのようなコーヒー液の溶解物質の量又はコーヒー液及びお茶の溶解物質の量は、細菌の増殖の抑制効果が発揮でき、また消炎及び脱臭効果が発揮できるように、適宜変えることができる。
【００２７】
　ここで、乾燥されて不織布に含有する一種以上のコーヒー液の乾燥物、又はコーヒー液及びお茶の乾燥物（溶解物質）は、一種以上のコーヒー液の濃縮液、又はコーヒー液の濃縮液及びお茶の濃縮液に溶存するものであり、濃縮することにより、例えば、コーヒー液の溶解物質濃度は、例えば、Ｂｒｉｘ濃度で２５パーセント程度まで増加させることができるが、噴霧等の作業を円滑に行うために、Ｂｒｉｘ濃度５％まで希釈される。また、この濃縮処理により、お茶の溶解物質濃度は、例えば、Ｂｒｉｘ濃度で６パーセント程度まで増加させることができるが、噴霧等の作業を円滑に行うために、例えば、Ｂｒｉｘ濃度２％まで希釈される。本発明におい、不織布に、溶解物質を多く含浸させるには、溶解物質濃度が同一の場合には、複数回に亙って、又は複数箇所において、種々の方法で、不織布に、コーヒー液の濃縮液、又はコーヒー液及びお茶の濃縮液を塗布するのが好ましい。
【００２８】
　焙煎コーヒー豆、焙煎コーヒー豆の抽出残渣、茶葉及び茶殻中に存在する溶解物質は、比較的抽出され易いので、熱水により、比較的短時間で抽出することができる。しかし、抽出時間は、９５℃の熱水中で、５乃至６０分であり、この間に、９５℃以上の熱水中で煮沸、又は煮立てると、例えば１０分乃至２０分で、溶解物質の高い濃度で抽出することができる。コーヒー液は、焙煎コーヒー豆若しくは焙煎コーヒー豆の抽出残渣、叉は焙煎コーヒー豆若しくは焙煎コーヒー豆の抽出残渣茶葉又は茶殻の重量に対し、１０倍量の９５℃の熱水で抽出を開始し、液量が３／４になるまで煮立てて得ることができる。このように製造されたコーヒー液の抽出液は、例えば、茶葉の大きさ及び形状並びに抽出条件により変わるが、糖度はＢｒｉｘ４乃至６パーセントである。
【００２９】
　このようなコーヒー液の濃縮液の場合には，コーヒー液の濃縮液を、坪量が１８ｇ／ｍ２の不織布の場合を標準として、不織布１ｍ２あたり５ミリリットル以上、好ましくは１０ミリリットル以上の量を噴霧等により不織布に含有させて、次いで乾燥させて製造することができる。例えば、不織布１ｍ２あたり５乃至３０ミリリットル好ましくは６乃至１５ミリリットル噴霧して不織布を製造することができる。
【００３０】
　茶葉又は茶殻を熱水による煮沸で抽出して得られた茶葉抽出液又は茶殻抽出液は、抽出残渣を取り除くために、遠心分離機にかけられる。茶殻が除かれた上澄み液は、例えば、液量が３／４以下になるまで、加熱蒸発させて、例えばお茶の濃度を、屈折計で測定してＢｒｉｘ６％程度にまで濃縮される。例えば、濃縮された緑茶の濃縮液は、噴霧し易い溶解物質濃度、例えばＢｒｉｘ２％に希釈されて、噴霧用に調整される。
【００３１】
　本発明において、不織布は、従来の不織布と同様に、例えば、紙タオル、肌着用布地、寝具用シーツ、マスク、アイマスク、座席用ヘッドカバー、枕カバー、包装材、鮮魚輸送用包装材及び野菜輸送用包装材等の吸収材料として使用することができる。また、本発明において、不織布は、従来の湿式の不織布と同様に製造でき、比較的多孔質の不織布をも包含する。本発明において、不織布は、従来の湿式の不織布と同様に、寝具用シーツ、マスク、アイマスク、座席用ヘッドカバー、枕カバー、紙おむつ、動物用紙おむつ、生理用ナプキン、動物用生理用ナプキン、乳パッド、汗パッド、失禁パッド、動物用シーツ、鮮魚輸送用吸収体若しくは野菜輸送用吸収体等の吸収体の表面材として使用することができる。
【００３２】
　本発明における不織布は、例えば、綿及びその廃材、羊毛及びその廃材、パルプ及びその廃材、ポリプロピレン繊維及びその廃材、ポリエチレン繊維及びその廃材、ナイロン繊維及びその廃材、ビニロン繊維及びその廃材、ポリエステル繊維及びその廃材、ビスコースレーヨン繊維及びその廃材、キュプラレーヨン繊維及びその廃材等のプラスチック繊維及び繊維若しくはレーヨン繊維及び廃材等の有機繊維材料及びその廃材を使用して、乾式法及び湿式法により形成することができる。
【００３３】
　本発明において、一種以上のコーヒー液の乾燥物、又は一種以上のコーヒー液及び一種以上のお茶の乾燥物を含有される不織布本体は、有機繊維又は有機繊維及び有機繊維廃材により、又は有機繊維又は有機繊維及び有機繊維廃材に、有機質の廃棄物若しくは繊維質の廃棄物叉は有機質の廃棄物及び繊維質の廃棄物を加えた混合物により乾式法叉は湿式法により形成することができる。
　本発明において、有機繊維、有機繊維廃材、又は有機繊維及び有機繊維廃材に、吸水性樹脂を加えて不織布を形成することにより、所謂、吸水性繊維とすることができる。またこの他に、吸水性繊維は、有機繊維若しくは有機繊維廃材、又はこれらの混合物に、有機質の廃棄物若しくは繊維質の廃棄物叉は有機質の廃棄物及び繊維質の廃棄物を加え、さらに吸水性樹脂を加えて形成することができる。
　この場合、有機質の廃棄物として、例えば、乳パッド廃材、失禁パッド廃材、紙おむつ廃材や生理用ナプキン廃材等のように、吸収体を有する廃材などの廃材を使用することができる。このような廃材は、ポリエチレン、ポリプロピレン、レーヨン及び合成ゴム材を、パルプ及び吸水性樹脂と共に含有しており、繊維材料としてのパルプを含み、また、吸水性樹脂を含んでいるので、例えば、３ｍｍ以下の粒度、好ましくは、１ｍｍ以下の粒度に粉砕して、不織布形成用素材の有機繊維廃材として使用することができる。また、このように粉砕した紙おむつ廃材や生理用ナプキン廃材の粉砕物は、分級機により、プラスチック類に富む部分と紙粉及び高吸水性樹脂に富む部分に分級して、これらの分級産物を適宜の割合に配合して、湿式法により抄造して、不織布を形成することができる。
【００３４】
　このような不織布を形成する場合において、吸水性樹脂は、不良品の吸水性樹脂、高吸水性樹脂廃材、比較的吸水性能の小さい吸水性樹脂及び吸水性能の高い高吸水性樹脂を意味する。しかし、吸水性の高いものを使用すると、吸水性樹脂の使用量を少なくできるので好ましい。
　また、本発明において、湿式法及び乾式法において、有機繊維若しくは有機繊維廃材、又は有機繊維及び有機繊維廃材は、不織布の素材即ち原料として使用することができる。また、有機繊維若しくは有機繊維廃材、又は有機繊維及び有機繊維廃材は、有機質の廃材若しくは繊維質の廃材、又は有機質の廃材及び繊維質の廃材を混合して不織布の素材として使用することができる。不織布の製造に使用され有機繊維、有機繊維廃材、有機質の廃材及び繊維質の廃材は、異なる供給路で夫々を別々に供給してもよいが、予め混合しておいて、混合物の形で供給してもよい。
　湿式法において使用される繊維質の廃棄物としては、機械パルプ廃材、化学パルプ廃材、セミケミカルパルプ廃材、綿状パルプ廃材、古紙パルプ廃材、木粉、紙粉、チタン紙廃材若しくはパンチ屑といった繊維質の廃棄物、又はこれらの繊維質の廃棄物の中の二種以上のものを組み合わせて不織布の素材とすることができる。
　乾式法において使用される繊維質の廃材としては、機械パルプ廃材、化学パルプ廃材、セミケミカルパルプ廃材、綿状パルプ廃材、古紙パルプ廃材、木粉、紙粉、チタン紙廃材、パンチ屑、紙おむつ廃材、生理用ナプキン廃材、乳パッド廃材若しくは失禁パッド廃材、又は二種以上のものを組み合わせて不織布の素材とすることができる。
　また、例えば、湿式法において使用される有機質の廃棄物としては、トイレットペーパー廃材、ティッシュペーパー廃材、寝具用シーツ廃材、マスク廃材、アイマスク廃材、座席用ヘッドカバー廃材、枕カバー廃材若しくは便座シート廃材といった有機質の廃棄物、又はこれら有機質の廃棄物の中の二種以上のものを組み合わせて不織布の素材とすることができる。もとより、個々の有機質の廃棄物叉は個々の繊維質の廃棄物又はそれらの二種以上の廃棄物を組み合わせて不織布の素材とすることができる。有機質の廃棄物及び繊維質の廃棄物は、３ｍｍ以下の粒度、好ましくは１ｍｍ以下の粒度に粉砕されて不織布の素材とされる。
　また乾式法において、同様に使用される有機質の廃材としては、トイレットペーパー廃材、ティッシュペーパー廃材、寝具用シーツ廃材、マスク廃材、アイマスク廃材、座席用ヘッドカバー廃材、枕カバー廃材、おむつ廃材、紙おむつ廃材、便座シート廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用吸収体廃材若しくは野菜輸送用吸収体廃材、又はこれらの二種以上のものを組み合わせて不織布の素材とすることができる。有機質の廃棄物及び繊維質の廃棄物は、３ｍｍ以下の粒度、好ましくは１ｍｍ以下の粒度に粉砕されて不織布の素材とされる。
【００３５】
　本発明において、吸水性樹脂を除いて不織布とする場合に使用される紙粉は、粉状の紙であり、また吸水性樹脂を含まない紙粉であり、このような紙粉としては、例えば、製本時に発生する紙粉、不織布製造時に発生する紙粉、製紙工程において発生する紙粉、若しくは集塵ロスの紙粉などの紙粉がある。
　この不織布において、乾式法で使用される紙粉は、粉状の紙であり、また、吸水性樹脂を含んでもよい紙粉であり、例えば、製本時に発生する紙粉、不織布製造時に発生する紙粉、製紙工程において発生する紙粉、及び集塵ロスの紙粉、並びに紙おむつ、生理用ナプキン、ショルダーパッド、バストパッド、ヒップパッド、失禁パッド、乳パッド又は汗パッド等のパッド類及び衛生材料製造時に発生する高吸水性樹脂を含む紙粉である。
【００３６】
　本発明において、不織布は、坪量が１８ｇ／ｍ２の不織布を基準として、不織布１平方メートルあたり０．１グラム以上のコーヒー液の乾燥物又はコーヒー液の乾燥物若しくはお茶の乾燥物が含有するので、コーヒー液の乾燥物の作用により、またコーヒー液の乾燥物の作用及びお茶の乾燥物の作用により、汗等により湿っても、吸水性に優れ、且つ細菌の増殖が抑えられ、長時間に亙って、衛生的な状態を保つことができる。
　本発明は、このように、缶入り若しくはパック入りのコーヒー液の製造業や、缶入り若しくはパック入りのウーロン茶、紅茶又は緑茶等のお茶の製造業において多量に発生する焙煎コーヒー豆の抽出残渣や、ウーロン茶、紅茶や緑茶の茶殻に含有されている廃棄上有害とされる成分を活用して、衛生状態が、汗等により湿っても、長時間に亙って良好な状態に保つことができる不織布を提供することができる。
　また、本発明においては、一種以上のコーヒー液の濃縮液又は一種以上のコーヒー液の濃縮液及び一種以上お茶の濃縮液を、不織布の一方の面に塗布し、前記濃縮液が塗布された不織布を乾燥することもできるので、前記濃縮液を塗布された不織布を製造しても，使用時の衛生状態が顕著に良好な不織布を、廃物を利用して、比較的廉価に製造することができる。
【実施例】
【００３７】
　以下、図を参照して、本発明の実施の態様の例を説明するが、本発明は、以下の説明及び例示によって何等制限されるものではない。
　図１は、本発明の一実施例の湿式不織布製造工程の円網抄造方式による不織布の製造工程の概略を示す模式的工程図である。
【００３８】
　図１に示す実施例において、有機繊維の例えばプラスチック繊維及び接着剤等の不織布の抄造用希薄懸濁液１が流入する抄造槽２内には、その中で回転可能に円網３が設けられている。抄造時、この抄造槽２内で回転する円網３にプラスチック繊維が吸引されて、円網３上にウエブ（薄層）４が形成される。本例においては、前記円網３上には、エンドレスの第一毛布５が掛け渡されて、その円網３の下流側にクーチロール６が設けられている。抄造槽２内で抄造されて円網上に形成された薄層４は、クーチロール６により圧搾され、また吸引されて第一毛布５上に移り、不織布層７を形成する。第一毛布５は、さらに吸引箱８及びプレスロール９に掛け渡され、案内ロール９に案内されて、円網３に至る循環路を形成している。クーチロール６により第一毛布５上に形成された不織布層７は、第一毛布５と共に、案内ロール９に案内されて移動する間に、吸引箱８の吸引作用により脱水される。
【００３９】
　吸引箱９で脱水された不織布層７は、プレスロール９上にピックアップロール１１が設けられている個所に送られ、ここで、プレスロール９及びピックアップロール１１により、圧搾されて脱水される。圧搾脱水された湿った不織布１２は、ピックアップロール１１の吸引作用により、第一毛布５から引き離されて、ピックアップロール１１、案内ロール１３及びタッチロール１４に掛け渡されている第二毛布１５に移される。この湿った不織布１２は、第二毛布１５と共に移動して、タッチロール１４の上方に回転可能に設けられている大径の乾燥筒１６に送られ、ここで乾燥されて、不織布１７を形成する。本例において、コーヒー液の濃縮液の噴霧器１８は、乾燥筒１６で乾燥される直前の湿った不織布１２に噴霧するように、ピックアップロール１１の後方に設けられている噴霧箇所１９に向けて設けられている。本例において、コーヒー液の濃縮液は、噴霧器１８の複数のノズル(一つのノズルを模式的に示すのみで、他のノズルは図示されていない)から噴霧個所１９上で第二毛布１５上の湿った不織布１２に噴霧される。コーヒー液の濃縮液が噴霧された湿った不織布１２は、タッチロール１４により第二毛布１５から離されて乾燥筒１６に巻き取られて移動し乾燥される。本例において、コーヒー液の濃縮液の噴霧個所１８に送られる湿った不織布１２は水分含有率が約６０重量％であった。
【００４０】
　本例において、第一毛布５は、不織布層７が分離された後，複数の洗浄水噴射ノズル２０を備えてワイヤパート側にある第一清浄化工程２１に送られ、清浄水により清浄にされて、クーチロール６に送られる。本例において、第一清浄化工程２１には、その前後に一対のプレスロール２２及び２３が設けられており、第一毛布５は、先ず、第一清浄化工程２１に対し上流側のプレスロール２２により脱水されて第一清浄化工程２１に送られて、洗浄液噴射ノズル２０から洗浄液が噴射され、次いで第一清浄化工程２１に対し下流側のプレスロール２３で脱水されて、クーチロール６に送られる。ワイヤパート側の第一毛布５の第一清浄化工程２１には張力調整ロール２４が設けられており、この張力調整ロール２４により、第一清浄化工程２０を通る第一毛布５の張力を調整する。
【００４１】
　本例において、ドライパート側には、一対のプレスロール２５が設けられている。ピックアップロール１１から送られ、湿った不織布１２を搬送するドライパート側の第二毛布１５は、タッチロール１４で湿った不織布１２が乾燥筒１６により分離され、分離された湿った不織布は、乾燥筒１６で乾燥される。一方、不織布が分離された第二毛布１５は、プレスロール２５に送られて、加圧脱水されて再びピックアップロール１１に送られる。ドライパート側の第二毛布１４には張力調整ロール２６、２７及び２８が設けられており、不織布送りの毛布の張力が調整することができる。
【００４２】
　本例の抄造装置は、以上のように構成されているので、抄造槽２内に配置され、矢印２９の方向に回転する円網３に繊維が吸引されて、円網３上に薄層（ウエブ）４が形成される。この円網３上に形成された薄層４は、矢印３０の方向に回転するクーチロール６に接して吸引され、矢印３１の方向に移動する第一毛布５に載せられて、案内ロール１０から吸引箱８に送られて、吸引脱水される。吸引箱８で吸引脱水された薄層４は、矢印３２の方向に回転するプレスロール９に送られて、矢印３３の方向に回転するピックアップロール１１に接して、ピックアップロール１１により吸引されながら、圧搾脱水されて、湿った不織布となり、ピックアップロール１１に吸引されて、プレスロール９から引き離される。プレスロール９から引き離された湿った不織布は、ピックアップロール１１から、矢印３５の方向に移動する第二毛布１５により搬送されて、コーヒー液の濃縮液の噴霧箇所１９に送られる。コーヒー液の濃縮液の噴霧箇所１９に送られた湿った不織布は、そこで、コーヒー液の濃縮液の噴霧器からコーヒー液の濃縮液が噴霧され、コーヒー液の濃縮液が噴霧された湿った不織布は、第二毛布１５により搬送されて、タッチロール１４に至り、矢印３５の方向に回転する乾燥筒１６に巻き取られて、乾燥筒１６で加熱乾燥されて不織布１７となり乾燥筒から取出されて、巻き取られる。一方、湿った不織布が乾燥筒１６に巻き取られた第二毛布１５は、矢印３４の方向に移動して、プレスロール２５により脱水されて、再度、ピックアップロール１１に送られる。
　本例においては、コーヒー液の乾燥物を不織布に含有させる事例であり、コーヒー液の濃縮液を湿った不織布に噴霧しているが、コーヒー液及びお茶の乾燥物を不織布に含有させる場合には、コーヒー液の濃縮液を、コーヒー液の濃縮液及びお茶の濃縮液に代えて、不織布に噴霧することになる。
【００４３】
例１
コーヒー液の濃縮液の調製
　市販のコロンビア産の溶解物質濃度が、Ｂｒｉｘ２５％のコーヒー液の濃縮液（溶解物質濃度：２１．２重量％）を５倍希釈して、コーヒー液の濃縮液（溶解物質濃度：４．１重量％）として使用した。このコーヒー液の濃縮液を、不織布製造工程において、ピックアップロール１１でドライパート側に移された湿った不織布(含水率６０％)に、不織布１ｍ２あたり７ｍｌの割合で噴霧された。乾燥して得られたコーヒー液の乾燥物の含有量は、不織布１ｍ２あたり０．２８ｇであった。このコーヒー液の濃縮液の分析試験項目及び測定結果は次のとおりであった。
表１．分析試験項目　　　　　　　　　分析結果
タンパク質　　　　　　　　　　　２．９ｇ／１００ｇ
脂質　　　　　　　　　　　　　　　　−ｇ／１００ｇ
灰分　　　　　　　　　　　　　　２．２ｇ／１００ｇ
無水カフェイン　　　　　　　　　１．０ｇ／１００ｇ
リン　　　　　　　　　　　　　　９５．９ｍｇ／１００ｇ
鉄　　　　　　　　　　　　　　　０．６４ｍｇ／１００ｇ
カルシウム　　　　　　　　　　　３０．２ｍｇ／１００ｇ
カリウム　　　　　　　　　　　　１．２４ｇ／１００ｇ
ナイアシン　　　　　　　　　　　１３．１ｍｇ／１００ｇ
タンニン（タンニン酸として）　　２．８９ｇ／１００ｇ
カテキン　　　　　　　　　　　　検出せず
ケルセチン　　　　　　　　　　　検出せず
亜鉛　　　　　　　　　　　　　　１２２μｇ／１００ｇ
　本例のコーヒー液の濃縮液についての抗菌力試験によると、４８時間後及び７２時間後において、緑膿菌、レンサ球菌及びレジオネラ属の細菌について細菌の増殖抑制効果がみられた。
例２
　例１で調製したコーヒー液の濃縮液を、不織布への噴霧用コーヒー液の濃縮液とした。この不織布噴霧用のコーヒー液の濃縮液を、不織布製造工程において、ピックアップロールでドライパート側に移された湿った不織布(含水率６０％)に、不織布１ｍ２あたり７ｍｌの割合で噴霧した。コーヒー液の濃縮液が噴霧された不織布は乾燥筒で乾燥された。乾燥して得られた不織布は、コーヒー液の乾燥物を、不織布１ｍ２あたり０．２８ｇ含有していた。
例３
　緑茶の茶葉２ｋｇに２５リットルの水を加え加熱し９５℃の沸騰水で１０分間浸煮立てて、全量を遠心分離器に掛けて、緑茶の抽出残渣(茶殻)を遠心分離して、緑茶の溶解物質濃度がＢｒｉｘ４．８％の緑茶抽出液１９リットルを得た。この抽出液を、緑茶抽出液採集槽に入れた。
【００４４】
例４
　緑茶の茶葉２ｋｇに２１リットルの水を加え加熱し９５℃の沸騰水で１０分間浸煮立てて、全量を遠心分離器に掛けて、緑茶の抽出残渣(茶殻)を遠心分離して、緑茶の溶解物質濃度がＢｒｉｘ４．０％の緑茶抽出液１５リットルを得た。この抽出液を、例１の緑茶抽出液が入れられている緑茶抽出液採集槽に加えた。
【００４５】
例５
　緑茶の茶葉２ｋｇに２１リットルの水を加え加熱し９５℃の沸騰水で１０分間浸煮立てて、全量を遠心分離器に掛けて、緑茶の抽出残渣(茶殻)を遠心分離して、緑茶抽出液１５リットルを得た。この抽出液を、例３及び例４の緑茶抽出液が入れられている緑茶抽出液採集槽に加えた。緑茶抽出液採集槽に入れた緑茶抽出液は、合計で４９リットルであり、その緑茶の溶解物質濃度はＢｒｉｘ５％（溶解物質濃度：４．２重量％）であった。
　本例の緑茶の濃縮液についての抗菌力試験によると、４８時間後及び７２時間後において、大腸菌、緑膿菌、黄色ブドウ球菌、サルモネラ属、レンサ球菌及びレジオネラ属の細菌について細菌の増殖抑制効果がみられた。
　この緑茶抽出液の濃縮液の分析試験項目及び測定結果は次のとおりであった。
表２．分析試験項目　　　　　　　分析結果
タンパク質　　　　　　　　　　０．３ｇ／１００ｇ
脂質　　　　　　　　　　　　　０．１ｇ／１００ｇ
灰分　　　　　　　　　　　　　０．５ｇ／１００ｇ
無水カフェイン　　　　　　　　０．２７ｇ／１００ｇ
リン　　　　　　　　　　　　　１９．０ｍｇ／１００ｇ
鉄　　　　　　　　　　　　　　０．３９ｍｇ／１００ｇ
カルシウム　　　　　　　　　　３４．５ｍｇ／１００ｇ
カリウム　　　　　　　　　　　２０９ｍｇ／１００ｇ
ナイアシン　　　　　　　　　　０．８０ｍｇ／１００ｇ
タンニン（タンニン酸として）　１．３７ｇ／１００ｇ
カテキン　　　　　　　　　　　５０ｍｇ／１００ｇ
ケルセチン　　　　　　　　　　２．０ｍｇ／１００ｇ
亜鉛　　　　　　　　　　　　　２４５ｇ／
　なお、市販飲料の緑茶における緑茶の溶解物質濃度はＢｒｉｘ０．２％であった。
【００４６】
例６
　例１で調製したコーヒー液の濃縮液と例５で調製した緑茶濃縮液を、同量宛混合して、コーヒー液濃縮液及び緑茶濃縮液の混合濃縮液を調製し、不織布への噴霧用混合濃縮液とした。この不織布噴霧用のコーヒー液及び緑茶の濃縮液の混合濃縮液を、不織布製造工程において、ピックアップロールでドライパート側に移された湿った不織布(含水率６０％)に、不織布１ｍ２あたり７ｍｌの割合で噴霧した。コーヒー液及び緑茶の混合濃縮液が噴霧された不織布は乾燥筒で乾燥された。乾燥して得られた不織布は、コーヒー液及び緑茶の乾燥物は、合計量で、不織布１ｍ２あたり０．２８ｇ含有していた。
【００４７】
例７
　紅茶の茶葉３ｋｇに３０リットルの水を加え加熱し９６℃の沸騰水で１５分間煮立てて、この煮立てた液の全量を遠心分離器に掛けて、紅茶の抽出残渣(紅茶の茶殻)を遠心分離し、ここで得られたＢｒｉｘ４．０％の第一紅茶抽出液を紅茶抽出液採集槽に入れ、次いで、新しい紅茶の茶葉２ｋｇに２１リットルの水を加え加熱し９６℃の沸騰水で１５分間煮立てて、煮立てた液の全量を遠心分離器に掛けて、紅茶の抽出残渣を遠心分離し、ここで得られた第二紅茶抽出液を、前記紅茶抽出液採集槽の第一紅茶抽出液に加え、さらに、新しい紅茶の茶葉３ｋｇに３０リットルの水を加え加熱し９６℃の沸騰水で１０分間煮立てて、煮立てた液の全量を遠心分離器に掛けて、紅茶の抽出残渣を遠心分離し、ここで得られた第三紅茶抽出液を紅茶抽出液採集槽中の第一及び第二紅茶抽出液に加えて、紅茶抽出液採集槽に、紅茶の溶解物質濃度がＢｒｉｘ５％（紅茶の溶解物質濃度：４．３重量％）の紅茶抽出液５０リットルを得た。
　本例の紅茶の濃縮液についての抗菌力試験によると、４８時間後及び７２時間後において、大腸菌、緑膿菌、黄色ブドウ球菌、レンサ球菌及びレジオネラ属の細菌について細菌の増殖抑制効果がみられた。
　この紅茶抽出液の分析試験項目及び測定結果は次のとおりであった。
表２．分析試験項目　　　　　　　　　　分析結果
タンパク質　　　　　　　　　　　　０．４ｇ／１００ｇ
脂質　　　　　　　　　　　　　　　０．２ｇ／１００ｇ
灰分　　　　　　　　　　　　　　　０．５ｇ／１００ｇ
無水カフェイン　　　　　　　　　　０．２７ｇ／１００ｇ
脂質　　　　　　　　　　　　　　　０．２ｇ／１００ｇ
灰分　　　　　　　　　　　　　　　０．５ｇ／１００ｇ
リン　　　　　　　　　　　　　　　１９．０ｍｇ／１００ｇ
鉄　　　　　　　　　　　　　　　　０．１２ｍｇ／１００ｇ
カルシウム　　　　　　　　　　　　３．５ｍｇ／１００ｇ
カリウム　　　　　　　　　　　　　２０１ｍｇ／１００ｇ
ナイアシン　　　　　　　　　　　　０．６９ｍｇ／１００ｇ
タンニン（タンニン酸として）　　　１．２９ｇ／１００ｇ
カテキン　　　　　　　　　　　　　１５ｍｇ／１００ｇ
ケルセチン　　　　　　　　　　　　４．４ｍｇ／１００ｇ
亜鉛　　　　　　　　　　　　　　　５３５μｇ／１００ｇ
　なお、市販飲料の紅茶における紅茶濃度はＢｒｉｘ０．８％であった。
【００４８】
例８
　例１で調製したコーヒー液の濃縮液と例７の紅茶抽出液採集槽に集めた、紅茶の濃縮液を、同量宛混合して、コーヒー液濃縮液と紅茶濃縮液の混合濃縮液を調製し、不織布への噴霧用のコーヒー液及び紅茶の濃縮液の混合濃縮液とした。この不織布噴霧用の混合濃縮液を、不織布製造工程において、ピックアップロールでドライパート側に移された湿った不織布(含水率６０％)に、不織布１ｍ２あたり７ｍｌの割合で噴霧した。混合濃縮液が噴霧された不織布乾燥筒で乾燥された。乾燥して得られた不織布は、コーヒー液及び紅茶の乾燥物を、合計量で、不織布１ｍ２あたり０．２８ｇ含有していた。
　１時間煮詰めて、液量が３/４にまで濃縮した。該紅茶濃縮液の紅茶の濃度は、Ｂｒｉｘ５．８％であった。この濃縮液を、溶解性固形物の濃度がＢｒｉｘ５％となるように水で希釈して、紅茶濃縮液の噴霧液とした。
【００４９】
　本発明によると、不織布に、コーヒー液の乾燥物、又はコーヒー液の乾燥物及びお茶の乾燥物を、不織布の坪量が１８ｇ／ｍ２を基準として、１平方メートルあたり０．１ｇ以上を含有させて、不織布の使用時における細菌の増殖を比較的少ない費用で抑制することができる。しかも、大量に排出される茶殻や茶殻から滲出する茶殻残留排液及び焙煎コーヒー豆の抽出残渣やこの抽出残渣から滲出するコーヒー液残留廃液を有効に利用することができる。したがって、本発明によると、茶殻や焙煎コーヒー豆の抽出残渣から、タンニン等が分離除去されるので、従来、残留廃液のタンニン等の成分により有効に使用することができなかった茶殻や焙煎コーヒー豆の抽出残渣等の抽出残渣を、有効に活用することができ、活性汚泥処理等による茶殻処理を必要としないで済むこととなり、缶入り又はパック入りコーヒー液等の飲料製造工場において、抽出残渣処理工程を省くことができる。
【図面の簡単な説明】
【００５０】
【図１】本発明の一実施例の湿式不織布製造工程の円網抄造方式による不織布の製造工程の概略を示す模式的工程図である。
【符号の説明】
【００５１】
　１　プラスチック繊維の希薄懸濁液
　２　抄造槽
　３　円網
　４　薄層
　５　第一毛布
　６　クーチロール
　７　不織布層
　８　吸引箱
　９　プレスロール
１０　案内ロール
１１　ピックアップロール
１２　湿った不織布
１３　案内ロール
１４　タッチロール
１５　第二毛布
１６　乾燥筒
１７　不織布
１８　噴霧器
１９　噴霧箇所
２０　洗浄水噴射ノズル
２１　第一清浄化工程
２２、２３及び２５　プレスロール
２４、２６、２７、及び２８　張力調整ロール
２９、３０、３２、３３及び３５　回転方向
３１及び３４　移動方向
【図１】
2004137662.tif 000003